(57)【要約】【課題】密集したエリアにたくさんの端末が存在する無線ネットワークシステムでは、物理的に接続可能なアクセスポイントが複数存在するため、無線端末が正しいアクセスポイントに接続できない場合があり、それを回避するために、個々の端末の位置に合わせてＳＳＩＤを設定しなければならないため、作業が膨大で煩わしいものであった。【解決手段】無線端末５が接続を行っている無線アクセスポイント３に対し、端末固有情報を送出し、無線アクセスポイント３は端末固有情報に従い接続を行うに関連づけられたＳＳＩＤ信号を送出する。無線端末５はこれにより再度ＳＳＩＤにしたがって本来接続を行うべきアクセスポイント２に接続を行う。上記の様に、無線端末はその内部にＳＳＩＤを設定することなくその内部に持つ端末固有情報により正しい無線アクセスポイントと接続できる。【選択図】図１
2005323234.tif 000002
【特許請求の範囲】
【請求項１】
無線アクセスポイントと無線端末との間で無線通信を行い、ＬＡＮを構築する無線ネットワークシステムであって、
前記無線端末が接続を行っている前記無線アクセスポイントに対し端末固有情報を送出し、
前記無線アクセスポイントは前記端末固有情報に従い接続すべき前記無線アクセスポイントのＳＳＩＤ信号を送出し、
前記無線端末は受信した前記ＳＳＩＤにしたがって前記無線アクセスポイントと接続を行うことを特徴とする無線ネットワークシステム。
【請求項２】
前記無線アクセスポイント内部に前記端末固有情報と接続すべき前記無線アクセスポイントの前記ＳＳＩＤを関連づける端末固有番号−ＳＳＩＤ関連テーブルを保持し、
前記無線アクセスポイントは前記端末固有番号−ＳＳＩＤ関連テーブルに従い端末に対して送出すべき前記ＳＳＩＤを決定することを特徴とする請求項１記載の無線ネットワークシステム。
【請求項３】
センターサーバを具備し、前記センターサーバと前記無線アクセスポイントが有線ネットワークで接続され、前記センターサーバから前記無線アクセスポイント内部の前記端末固有番号−ＳＳＩＤ関連テーブルが書き換えられることを特徴とする請求項２記載の無線ネットワークシステム。
【請求項４】
センターサーバを具備し、前記センターサーバ内部に端末固有情報と接続すべき前記無線アクセスポイントのＳＳＩＤを関連づける端末固有番号−ＳＳＩＤ関連テーブルを保持し、前記無線アクセスポイントが、前記端末固有情報を前記センターサーバに送出し、さらに前記センターサーバから端末固有情報に関連づけられたＳＳＩＤを、前記無線アクセスポイントに送出することを特徴とする請求項１記載の無線ネットワークシステム。
【請求項５】
前記端末固有情報が、航空機の座席番号であることを特徴とする請求項１から請求項４記載の無線ネットワークシステム。
【請求項６】
前記端末固有情報が、ＭＡＣアドレスであることを特徴とする請求項１から請求項４記載の無線ネットワークシステム。
【請求項７】
前記無線端末が、前記端末固有情報を外部から書き換える操作インターフェースを具備することを特徴とする請求項１から請求項４記載の無線ネットワークシステム。
【発明の詳細な説明】
【技術分野】
【０００１】
本発明は無線ネットワークシステムに関するものである。
【背景技術】
【０００２】
近年、無線ＬＡＮシステムが、広く普及し始めオフィスや家庭等のプライベートな空間や、駅、空港等の公共の場所で用いられることが多くなってきている。また今後、航空機や列車等交通機関内で移動中に利用可能な無線ネットワークのサービスが広がって行く可能性も高い。
【０００３】
図６は従来の無線ＬＡＮシステムの無線アクセスポイント（以下「ＡＰ」という。）と無線端末装置（以下端末という）との通信が確率するまでの動作を示したブロック図である。
【０００４】
図６において、６１はＡＰであり、６２は端末である。
【０００５】
最初に(1)で示す通り、端末６２がＰｒｏｂｅ  Ｒｅｑｕｅｓｔ（検索要求）を送出する。Ｐｒｏｂｅ  Ｒｅｑｕｅｓｔは、端末内部に格納されているサービスセットＩＤ（ＳＳＩＤ：Ｓｅｒｖｉｃｅ  Ｓｅｔ  Ｉｄｅｎｔｉｆｉｃａｔｉｏｎ  以下「ＳＳＩＤ」という。）が含まれる。ＳＳＩＤはＡＰと端末間のネットワークの名前的な識別子である。
【０００６】
前記Ｐｒｏｂｅ  Ｒｅｑｕｅｓｔを受信したＡＰ６１はそのＰｒｏｂｅ  Ｒｅｑｕｅｓｔ中に含まれるＳＳＩＤがＡＰ６１内部に設定されているものと同じである場合には、(2)で示す通りＰｒｏｂｅ  Ｒｅｓｐｏｎｓｅ（検索応答）を送出する。また(1)で送信を行うＳＳＩＤがブランクである場合には、常にＰｒｏｂｅ  Ｒｅｓｐｏｎｓｅを送出する。Ｐｒｏｂｅ  ＲｅｓｐｏｎｓｅにはＡＰ内部に設定されているＳＳＩＤを含む。
【０００７】
Ｐｒｏｂｅ  Ｒｅｓｐｏｎｓｅを受信した端末６２は、以下の処理を行う。(1)のＰｒｏｂｅ  Ｒｅｑｕｅｓｔで特定のＳＳＩＤを送出した場合には、受信したＰｒｏｂｅ  Ｒｅｓｐｏｎｓｅに含まれるＳＳＩＤを端末自身が内部に保持し、送出した値と一致する場合にのみ、(3)で示す通りＡｕｔｈｅｎｔｉｃａｔｉｏｎ  Ｒｅｑｕｅｓｔ（認証要求）を送出する。一致しない場合は以後の処理は行わない。
【０００８】
また一方、端末６２が(1)のＰｒｏｂｅ  ＲｅｑｕｅｓｔでＳＳＩＤをブランクにして送出し、Ｐｒｏｂｅ  Ｒｅｓｐｏｎｓｅを受信した場合には常にＡｕｔｈｅｎｔｉｃａｔｉｏｎ  Ｒｅｑｕｅｓｔを送出する。
【０００９】
Ａｕｔｈｅｎｔｉｃａｔｉｏｎ  Ｒｅｑｕｅｓｔを受信したＡＰ６１は、(4)で示すＡｕｔｈｅｎｔｉｃａｔｉｏｎ  Ｒｅｓｐｏｎｓｅ（認証応答）を送出する。
【００１０】
次にＡｕｔｈｅｎｔｉｃａｔｉｏｎ  Ｒｅｓｐｏｎｓｅを受信した端末６２は(5)で示す通りＡｓｓｏｃｉａｔｉｏｎ  Ｒｅｑｕｅｓｔ（帰属要求）を送出する。これには端末のＳＳＩＤを含む。
【００１１】
次にＡｓｓｏｃｉａｔｉｏｎ  Ｒｅｑｕｅｓｔを受信したＡＰは、(6)で示す通りＡｓｓｏｃｉａｔｉｏｎ  Ｒｅｓｐｏｎｓｅ（帰属応答）を送出する。これにはＡＰのＳＳＩＤを含む。
【００１２】
以上のようなやりとりで接続を確立した後、端末６２とＡＰ６１の間で伝送を開始する。以上の動作はＩＥＥＥ８０２．１１規格により規定されている。
【特許文献１】特開２００４−３２１３３号公報
【非特許文献１】松江英明、守倉  正博監修  ８０２．１１高速無線ＬＡＮ教科書  ＩＤＧジャパン発行
【発明の開示】
【発明が解決しようとする課題】
【００１３】
図７は航空機内での無線システムのレイアウト例を示すブロック図である。座席は１から１６列まであり、横方向にはＡからＪまでの１０シートが存在する。各座席には端末が設置されており、それぞれがＡＰ７１からＡＰ７７の７個のＡＰが設置されている。座席が密集しており、それぞれの端末の伝送速度を確保するために狭いエリアに７個ものＡＰが集中することになる。
【００１４】
一方で同じく端末の伝送速度を確保するためには、各端末が正しく直近のＡＰに接続する必要がある。たとえば１列Ａ番の端末はＡＰ７１に接続する。このことにより各端末に均等に帯域が割り当てられて、それぞれの端末が十分なパフォーマンスを持つことになる。
【００１５】
ところが前述の通り、各端末が正しくＡＰと接続するためにはあらかじめ各端末内部にはＳＳＩＤを設定しておく必要がある。端末の数が図７の様に複数台ある場合には、ＳＳＩＤを１台ずつ複数回にわたってそれぞれ所定のＡＰと接続する様に正しいＳＳＩＤを設定しなければならない。この作業は各座席に固定の据え置き型の端末を設定するのであれば、初期設定時の作業量が膨大なものになる。また各乗客が自分の端末を持ち込む場合には、そのＳＳＩＤの番号を正しく設定するために端末への設定作業を持ち込みの際に行わなければならない。この作業は大変煩わしいものである。
【課題を解決するための手段】
【００１６】
上記課題を解決するために、本発明の無線ネットワークシステムは、無線アクセスポイントと、無線端末との間で無線通信を行い、ＬＡＮを構築する無線ネットワークシステムであって、無線端末が接続を行っている無線アクセスポイントに対し、端末が内部に保持しているＳＳＩＤとは別の端末固有情報を送出し、無線アクセスポイントは端末固有情報に従い接続を行うに関連づけられたＳＳＩＤ信号を送出し、無線端末はこれにより再度ＳＳＩＤにしたがって接続を行うことを特徴とする。
【発明の効果】
【００１７】
本発明の無線ネットワークシステムは上記構成を持つことにより、接続開始時に端末固有情報を送出する。この端末固有情報を受信したＡＰは端末が接続すべきＡＰのＳＳＩＤの送出を端末に向けて行う。これにより、端末は自身のＳＳＩＤの設定を行い、再度ＳＳＩＤに従ってＡＰへの接続を行う。これらの動作によって、端末は意図された正しいＡＰへの接続を行うことができる。複数あるすべての端末が正しくＡＰへ接続を行うことができることにより、一部のＡＰに集中して端末が接続することがなく、各ＡＰに接続を行う端末の個数が均等になる
以上のような構成により、各端末に均等に帯域が割り当てられ、それぞれの端末が十分なパフォーマンスを持つことができる。また端末固有情報を、端末が元来その内部に持つ情報や、使用者が簡単に特定できる値に設定することにより、ＳＳＩＤ設定の負荷を大幅に低減することができる。
【発明を実施するための最良の形態】
【００１８】
以下本発明の実施の形態について、図１を用いて説明する。
【００１９】
（実施の形態１）
図１は本発明第１の実施形態の無線ネットワークを示すブロック図である。
【００２０】
図１において１はセンタサーバ、２、３、４はＡＰ、５、６、７は端末である。
【００２１】
端末５は本来ＡＰ２に接続されるべき端末であるが、端末には当初ＳＳＩＤが設定されていないため、端末は接続を行うべきＡＰが特定できていない。
【００２２】
また図１の様に複数のＡＰが密集した配置で置かれているため、他のＡＰとも無線通信することが物理的に可能なため、本来意図しないＡＰへ接続されることもあり得る。
【００２３】
そこで以下の方法でＡＰの特定を行う。まず、端末５は自分の端末固有情報を含んだ(1)のＳＳＩＤ検索信号を無線信号として送出を行う。
【００２４】
各ＡＰは内部に、端末固有情報とＳＳＩＤとを関連付けた信号を保持している。ＳＳＩＤ検索信号をＡＰ３が受信すると、ＡＰ３は内部に保持している端末固有番号―ＳＳＩＤ関連テーブルにしたがってＳＳＩＤを送出する。ＳＳＩＤは(2)のＳＳＩＤ検索応答信号に多重されて返信される。図１の例では、固有番号Ｅ３に対して、ＳＳＩＤ＝１を送出する。
【００２５】
ＳＳＩＤ検索応答信号を受信した端末５は、受信したＳＳＩＤ＝１を用いて(3)Ｐｒｏｂｅ  Ｒｅｑｕｅｓｔ信号を送出する。以後はＳＳＩＤ＝１を持つＡＰ２との間で、(4)Ｐｒｏｂｅ  Ｒｅｓｐｏｎｓｅ応答信号、(5)Ａｕｔｈｅｎｔｉｃａｔｉｏｎ  Ｒｅｑｕｅｓｔ信号、(6)Ａｕｔｈｅｎｔｉｃａｔｉｏｎ  Ｒｅｓｐｏｎｓｅ信号、(7)Ａｓｏｃｉａｔｉｏｎ  Ｒｅｑｕｅｓｔ信号、(8)Ａｓｓｏｃｉａｔｉｏｎ  Ｒｅｓｐｏｎｓｅ信号のやり取りを行うことにより、端末５とＡＰ２との通信が確率する。
【００２６】
以上の様に、固有番号を用いることにより、端末は正しいＡＰに接続することができる。特に、固有番号を航空機に適用する場合には、固有番号と座席番号と一致させることにより、使用者あるいは保守担当者が操作する端末固有情報を簡単に特定することができ、各端末毎の固有番号の設定がより簡単に行うことができる。このことにより、各座席への備え付けの端末の場合には、故障等による端末の取替え時に固有番号の設定が容易に行える。また、乗客が端末としてＰＣの持込んだ時にも端末固有情報の設定を容易に行うことができる。
【００２７】
実施の形態１では、端末固有情報として端末の座席番号の送出を行っているが、必ずしもこれに限らず、端末の製造番号、端末使用者の固有ＩＤ等、端末の個体識別ができるものであればこれに限らない。
【００２８】
また、センターサーバとＡＰをＥｔｈｅｒｎｅｔ（Ｒ）等の有線ネットワークで接続を行いことにより、端末固有番号―ＳＳＩＤ関連テーブルをセンターサーバから書き換えを行うことができる様に構成すると、ネットワークシステムの使用予定や機器の故障状況により、端末−ＡＰの接続の設定状況を変えることができる。
【００２９】
（実施の形態２）
図２は本発明第２の実施の形態の構成を示すブロック図である。
【００３０】
図２において、２１はセンターサーバである。２２、２３、２４はＡＰである。２５、２６、２７は端末である。
【００３１】
図２の様に構成された構成された無線ネットワークシステムについてその動作について説明する。
【００３２】
まず，端末はＰｒｏｂｅ  Ｒｅｑｕｅｓｔ信号を送出する。この際内部のＳＳＩＤについては空の値を送出する。Ｐｒｏｂｅ  Ｒｅｑｕｅｓｔ信号は任意のＡＰが受信することができる。ＡＰ２３はその内部に保持する、端末固有番号―ＳＳＩＤ関連テーブルに従い、自身のＳＳＩＤに関連づけられた端末固有情報を受信した場合に限り、Ｐｒｏｂｅ  Ｒｅｓｐｏｎｓｅを返信するこの中に端末２５が接続すべき、ＡＰのＳＳＩＤが含まれている。
【００３３】
また図２では、ＡＰ２３は端末固有情報として、ＭＡＣアドレスを用いる。ＭＡＣアドレスは(1)のＰｒｏｂｅ  Ｒｅｑｕｅｓｔに含まれる。その後、ＳＳＩＤを受信した端末は、Ｐｒｏｂｅ  Ｒｅｓｐｏｎｓｅを送出したＡＰに対し、(3)Ａｕｔｈｅｎｔｉｃａｔｉｏｎ  Ｒｅｑｕｅｓｔ、(4)Ａｕｔｈｅｎｔｉｃａｔｉｏｎ  Ｒｅｓｐｏｎｓｅ、(5)Ａｓｓｏｃｉａｔｉｏｎ  Ｒｅｑｕｅｓｔ、(6)Ａｓｓｏｃｉａｔｉｏｎ  Ｒｅｑｕｅｓｔ、(7)Ａｓｓｏｃｉａｔｉｏｎ  Ｒｅｓｐｏｎｓｅの送受信をおこない接続を確立する。
【００３４】
以上の様に、固有番号を用いることにより、端末は正しいＡＰに接続することができる。
特に、固有番号としてＭＡＣアドレスを用いることにより、端末固有情報をＰｒｏｂｅ  Ｒｅｑｕｅｓｔ信号に含めることができる。このことにより、通常の８０２．１１規格での端末とＡＰとの間の接続の手順によって、端末とＡＰの間を接続させることができる。
【００３５】
実施の形態２では、端末固有情報としてＭＡＣアドレスを用いているが、必ずしもこれに限らず、Ｐｒｏｂｅ  Ｒｅｑｕｅｓｔ信号送出時に他の端末固有情報となる信号を多重化して送出することにより同じ効果が得られる。端末固有情報としては、端末の配置してある座席番号、端末の製造番号、端末使用者の固有ＩＤ等、端末の個体識別ができるものであれば何であってもよい。
【００３６】
またセンターサーバとＡＰをＥｔｈｅｒｎｅｔ（Ｒ）等の有線ネットワークで接続を行いことにより、端末固有番号―ＳＳＩＤ関連テーブルをセンターサーバから、書き換えを行うことができる様に構成すると、ネットワークシステムの使用予定や機器の故障状況により端末−ＡＰの接続の設定状況を変えることようにすることができる。
【００３７】
（実施の形態３）
図３は本発明第３の実施の無線ネットワークを示すブロック図である。
【００３８】
図３において３１はセンタサーバ、３２、３３、３４はＡＰ、３５、３６、３７は端末である。
【００３９】
端末３５は本来ＡＰ３２に接続されるべき端末であるが、端末には当初ＳＳＩＤが設定されていないため、端末は接続を行うべきＡＰが特定できていない。
【００４０】
以上の構成は、実施の形態１の図１と同じである。
【００４１】
実施の形態１と異なる点は、端末固有番号―ＳＳＩＤ関連テーブルがＡＰ内部ではなく、センタサーバ内部に格納されている点である。
【００４２】
以下の方法で端末はＡＰの特定を行う。まず、端末３５は自分の端末固有情報を含んだＳＳＩＤ検索信号を無線信号として送出する。
【００４３】
ＳＳＩＤ検索信号をＡＰ３３が受信すると、ＡＰ３３は端末固有情報をＥｔｈｅｒｎｅｔ（Ｒ）等の有線ネットワークを介して、センタサーバ３１に対して送信を行う。センタサーバ３１では、内部に保持している端末固有番号―ＳＳＩＤ関連テーブルにしたがって、端末固有情報からＳＳＩＤを確定する。図３の例では、固有番号Ｅ３に対して、ＳＳＩＤ＝１を決定する。ＳＳＩＤ＝１の値は、有線ネットワークを介してＡＰ３２に伝送される。その後ＳＳＩＤはＳＳＩＤ検索応答信号に多重されて返信され、ＡＰ３３から端末３５に送出される。
【００４４】
ＳＳＩＤ検索応答信号を受信した端末３５は、受信したＳＳＩＤ＝１を用いて、Ｐｒｏｂｅ  Ｒｅｑｕｅｓｔ信号を送出しする。以後はＳＳＩＤ＝１を持つＡＰ２との間で、Ｐｒｏｂｅ  Ｒｅｓｐｏｎｓｅ応答信号、Ａｕｔｈｅｎｔｉｃａｔｉｏｎ  Ｒｅｑｕｅｓｔ信号、Ａｕｔｈｅｎｔｉｃａｔｉｏｎ  Ｒｅｓｐｏｎｓｅ信号、Ａｓｏｃｉａｔｉｏｎ  Ｒｅｑｕｅｓｔ信号、Ａｓｓｏｃｉａｔｉｏｎ  Ｒｅｓｐｏｎｓｅ信号のやり取りを行うことにより、端末３５とＡＰ２との通信が確立する。
【００４５】
以上の様に、固有番号を用いることにより、端末は正しいＡＰに接続することができる。特に、固有番号を航空機の場合には、座席番号と一致させることにより、各端末毎の固有番号の設定を簡単に行うことができる。このことにより、各座席への備え付けの端末の場合や、端末故障時の修理取替え時に固有番号の設定が容易に行える。
【００４６】
また乗客が端末としてＰＣの持込んだ時にも、端末固有情報の設定を容易に行うことができる。またセンタサーバでは、端末固有番号―ＳＳＩＤ関連テーブルが保持されていることから、端末固有番号―ＳＳＩＤ関連テーブルの管理が一カ所で行うことができ、その更新作業と管理を容易に行うことができる。
【００４７】
（実施の形態４）
図４は、本発明の無線ネットワークシステムで用いられる、端末の一実施の形態の構成を示すブロック図である。
【００４８】
図４において４１はＣＰＵ、４２はシステムメモリ−、４３はホスト−ＰＣＩブリッジ、４４はグラフィックコントローラ、４５はＬＣＤ、４６はスイッチ、４７はペリフェラルコントローラ、４８は無線ＩＦである。
【００４９】
図４において、端末用のプログラムはＣＰＵ４１及びシステムメモリ４２上で動作を行う。一方、端末固有情報は、外部スイッチ４６でハードウエアでデジタルの離散的な値として設定される。外部スイッチの形状は、ロータリスイッチでも、プッシュスイッチでもかまわない。外部から固有値の設定ができればよい。この値はペリフェラルコントローラ４７、ホスト−ＰＣＩブリッジ４３を経由してＣＰＵにわたされる。
【００５０】
無線ＩＦ４８はホスト−ＰＣＩブリッジを介して、ＣＰＵに接続されている。無線ＩＦは無線信号の送信と受信を行う。グラフィックコントローラ４４はＬＣＤ４５に接続されて、ビデオの表示を行う。
【００５１】
図４の様に固有番号設定ＳＷで設定することにより、自由に固有番号を設定することができる。図４の様に端末固有情報を外部から書き換える操作インターフェースとして外部スイッチを具備することで端末固有情報の設定を行うことができる端末装置を実現することができる。このことにより、システムのメンテナンスや初期設定時での端末固有情報の設定をより簡便に行うことができる。
【００５２】
（実施の形態５）
図５は本発明の無線ネットワークシステムで用いられる端末の一実施の形態の構成を示すブロック図である。
【００５３】
図５において、５１はＣＰＵ、５２はシステムメモリ−、５３はホスト−ＰＣＩブリッジ、５４はグラフィックコントローラ、５５はＬＣＤ、５６はキーボード、５７はマウス、５８はペリフェラルコントローラ、５９は無線ＩＦである。
【００５４】
図５において、端末用のプログラムはＣＰＵ５１及びシステムメモリ５２上で動作を行う。一方、端末固有情報は、キーボード５６やマウス５７、ペリフェラルコントローラ５８を入力ＩＦとして設定される。この値はペリフェラルコントローラ５８、ホスト−ＰＣＩブリッジ５３を経由してＣＰＵにわたされる。無線ＩＦ５９はホスト−ＰＣＩブリッジを介してＣＰＵに接続されている。無線ＩＦ５９は無線信号の送信と受信を行う。グラフィックコントローラ５４はＬＣＤ５５に接続されて、ビデオの表示を行う。
【００５５】
図５の端末の様に、端末固有情報を外部から書き換える操作インターフェースとしてキーボードとマウスのＩＦを持つことにより、容易に外部から設定することができる。このことにより、システムのメンテナンス時や初期設定時での、端末固有情報の設定をより簡便に行うことができる。
【産業上の利用可能性】
【００５６】
本発明にかかる無線ネットワークシステムは、複数の端末に均等に帯域が割り当てられ、それぞれの端末が十分なパフォーマンスを持つことができ、また端末固有情報を端末が元来その内部に持つ情報や使用者が簡単に特定できる値に設定することにより、ＳＳＩＤ設定の負荷を大幅に低減することができるという効果を有し、航空機エンターテイメントシステムや、無線会議システム、長距離列車内での無線ネットワークシステム等として有用である。
【図面の簡単な説明】
【００５７】
【図１】本発明の第１の実施の形態を示すブロック図
【図２】本発明の第２の実施の形態を示すブロック図
【図３】本発明の第３の実施の形態を示すブロック図
【図４】本発明の端末の構成を示すブロック図
【図５】本発明の端末の構成を示すブロック図
【図６】従来の無線ＬＡＮシステムのＡＰと端末との通信が確率するまでの動作を示したブロック図
【図７】航空機内での無線システムのレイアウト例を示すブロック図
【符号の説明】
【００５８】
１、２１、３１、４１  センタサーバ
２、３、４、２２、２３，２４、３２，３３，３４，４２，４３，４４，６１  ＡＰ（アクセスポイント）
５、６，７，２５，２６，２７，３５，３６，３７、６２  端末（無線端末）
４５  ＬＣＤ
４６  スイッチ
４７  ペリフェラルコントローラ
５１  ＣＰＵ
５２  システムメモリー
５３  ホスト−ＰＣＩブリッジ
５４  グラフィックコントローラ
５５  ＬＣＤ
５６  キーボード
５７  マウス
５８  ペリフェラルコントローラ
【図２】
2005323234.tif 000003
【図３】
2005323234.tif 000004
【図４】
2005323234.tif 000005
【図５】
2005323234.tif 000006
【図６】
2005323234.tif 000007
【図７】
2005323234.tif 000008
【図１】
2005323234.tif 000009